(57)【要約】      （修正有）【課題】取付部材の抜け落ちが発生せず且つ取付部材への溶湯の付着や取付部材の成分が溶解しないラドルを提供する。【解決手段】ラドル１は、溶湯容器２と取付部材３とからなるラドル１であって、取付部材３に取り付けられるピン４と、取付部材３は移動手段に取り付けられる係合部と溶湯容器２の側面に埋設固定される埋設部と溶湯容器２を持ち上げた際に加わる荷重方向に対して略垂直な貫通方向にピン４が貫通する孔が形成され埋設部が埋設固定される側面の外側に位置するピン固定部とを有し、溶湯容器２は埋設部が挿入される被埋設部と孔と連通し貫通方向にピン４が差し込まれ溶湯容器２の内側とは連通しない穴が形成されたピン挿入部とを有することを特徴とする。【選択図】図１
0003151024.tif 000002
【実用新案登録請求の範囲】
【請求項１】
溶湯が保持されている保存炉から溶湯を汲み出し保持可能な上方に開口する窪みを区画する溶湯容器と、
前記溶湯容器によって汲み出された前記溶湯を鋳型に移動させる移動手段に前記溶湯容器を取り付ける取付部材と、
からなるラドルであって、
前記取付部材に取り付けられるピンと、
前記取付部材は、前記移動手段に取り付けられる係合部と、前記溶湯容器の側面に埋設固定される埋設部と、前記溶湯容器を持ち上げた際に加わる荷重方向に対して略垂直な貫通方向に前記ピンが貫通する孔が形成され前記埋設部が埋設固定される前記側面の外側に位置するピン固定部とを有し、
前記溶湯容器は、前記埋設部が挿入される被埋設部と、前記孔と連通し前記貫通方向に前記ピンが差し込まれ前記溶湯容器の前記窪みの内側とは連通しない穴が形成されたピン挿入部とを有することを特徴とするラドル。
【請求項２】
板状の前記埋設部は板状の前記係合部から延設されており、
板状の前記ピン固定部は前記係合部から略垂直方向に立ち上がり、前記荷重方向に前記前記埋設部と略平行に延設され、前記埋設部は前記被埋設部に接着剤で固定され、前記ピンは前記孔を貫通し前記ピン挿入部に接着剤で固定される請求項１に記載のラドル。
【考案の詳細な説明】
【技術分野】
【０００１】
本考案は、溶湯が保持されている保存炉から溶湯を汲み出し保持可能なラドルに関する。
【背景技術】
【０００２】
ラドルは、一般に溶湯を保持炉から取り出し、鋳型等まで移動する間、溶湯を保持するために用いられる。セラミックス製ラドルの場合、強度及び工作精度の理由から鋳造機への取付のために取付部材（金具）を接合している。取付部材の接合は、ラドルの側壁に取付部材の差し込み穴を設けて取付部材を差し込み、接着剤で固定する方法（特許文献１）、ラドルの側壁に内側まで貫通する孔を開け、ボルトで固定する方法（特許文献２）等がある。
【先行技術文献】
【特許文献】
【０００３】
【特許文献１】特開平１１−１４７１６８号公報
【特許文献２】特開昭６３−２４８５６４号公報
【考案の概要】
【考案が解決しようとする課題】
【０００４】
しかし、上記した接着剤で固定する方法では、使用中に取付部材が差し込み穴から抜けるトラブルが発生することがあり、ボルトで固定する方法では、内壁側の取付部材への溶湯の付着あるいは取付部材の成分による溶湯汚染の恐れがある。
【０００５】
本考案は、上記課題に鑑みてなされたもので、取付部材の抜け落ちが発生せず且つ取付部材への溶湯の付着や取付部材の成分が溶解しないラドルを提供することを解決すべき課題とする。
【課題を解決するための手段】
【０００６】
上記課題を解決するための請求項１に係る考案の構成上の特徴は、溶湯が保持されている保存炉から溶湯を汲み出し保持可能な上方に開口する窪みを区画する溶湯容器と、
前記溶湯容器によって汲み出された前記溶湯を鋳型に移動させる移動手段に前記溶湯容器を取り付ける取付部材と、
からなるラドルであって、
前記取付部材に取り付けられるピンと、
前記取付部材は、前記移動手段に取り付けられる係合部と、前記溶湯容器の側面に埋設固定される埋設部と、前記溶湯容器を持ち上げた際に加わる荷重方向に対して略垂直な貫通方向に前記ピンが貫通する孔が形成され前記埋設部が埋設固定される前記側面の外側に位置するピン固定部とを有し、
前記溶湯容器は、前記埋設部が挿入される被埋設部と、前記孔と連通し前記貫通方向に前記ピンが差し込まれ前記溶湯容器の前記窪みの内側とは連通しない穴が形成されたピン挿入部とを有することである。
【０００７】
また請求項２に係る考案の構成上の特徴は、請求項１において、板状の前記埋設部は板状の前記係合部から延設されており、
板状の前記ピン固定部は前記係合部から略垂直方向に立ち上がり、前記荷重方向に前記前記埋設部と略平行に延設され、前記埋設部は前記被埋設部に接着剤で固定され、前記ピンは前記孔を貫通し前記ピン挿入部に接着剤で固定されることである。
【考案の効果】
【０００８】
本考案のラドルは、取付部材が埋設部に埋設される埋設部とピンにて溶湯容器に固定されるピン固定部とを有するため、取付部材が溶湯容器から抜け落ちたりしにくい。そして、ピン挿入部は溶湯容器の内側には開口しておらず、ピンは溶湯容器の内側には貫通しないため、ピンに溶湯が付着したり取付部材の成分が溶解して溶湯を汚染したりすることはない。
【図面の簡単な説明】
【０００９】
【図１】本実施形態のラドル１の斜視図である。
【図２】（ａ）は本実施形態のラドル１の断面図であり、（ｂ）は取付部材３のみの断面図である。
【考案を実施するための形態】
【００１０】
本考案の代表的な実施形態を図１〜図２を参照して説明する。
【００１１】
（実施形態）
本実施形態のラドル１は、図１に示されるように、溶湯容器２と、取付部材３と、ピン４とを有する。
【００１２】
溶湯容器２は、上方に開口する窪みを区画する本体部２１と、側面の１つが外側に突出した注ぎ口２２とを有する。そして、図２に示されるように、被埋設部２３と、ピン挿入部２４とを有する。被埋設部２３は、厚さが他の側壁より厚くなった側壁に、開口２０から底面２９側に向かう鉛直方向（溶湯容器を持ち上げた際に荷重が加わる荷重方向）に窪んだ穴である。底面２９側には貫通していない。ピン挿入部２４は、被埋設部２３と同じ側壁の外側から内側に向かう方向、つまり鉛直方向に対して垂直方向に形成された孔であり、被埋設部２３及び側壁内側には連通していない。注ぎ口２２は、被埋設部２３と隣接する側面側に形成されている。
【００１３】
取付部材３は、係合部３１と埋設部３２とピン固定部３３とを有する。係合部３１と埋設部３２とは一枚の板状であり、ピン固定部３３は埋設部３２よりの係合部３１から側壁の外側方向に立ち上がり、その立ち上がり先端部分から荷重方向に側壁に沿って埋設部３２と略平行に延設されている。ピン固定部３３は、図２（ｂ）に示されるように、ピン挿入部２４と連通する位置に、垂直方向に貫通した孔３３１が２カ所、荷重方向で同じ位置になるように並んで形成されている。埋設部３２は、溶湯容器２の被埋設部２３に挿入される。挿入された埋設部３２は、接着剤（図略）によって、被埋設部２３に固着される。
【００１４】
ピン４は、取付部材３のピン固定部３３の孔３３１から溶湯容器２の内側に向かって、ピン固定部３３と連通する溶湯容器２のピン挿入部２４に挿入される。挿入されたピン４は、接着剤によって、ピン挿入部２４及びピン固定部３３の孔３１１に固着される。図１では、この孔３３１にピン４が挿入されている状態が表されている。ピン４は、１つから２以上の複数用いて、取付部材３を溶湯容器２に固定し、ピン４の数に合わせて孔３１１を形成することができる。
【００１５】
本実施形態のラドル１によれば、取付部材３の埋設部３２が溶湯容器２の被埋設部２３に挿入固定され、更に取付部材３のピン固定部３３がピン４によって溶湯容器２に固定されるため、取付部材３が溶湯容器２から抜け落ちたりしにくい。接着剤で固着される埋設部３２が被埋設部２３との固着状態が解除されたとしてもピン固定部３３がピン４によって、溶湯容器２に固着されている。ピン４は、溶湯容器２が持ち上げられた際に加わる荷重方向に対して垂直方向に挿入されるため、溶湯容器２のピン挿入部２４から外れ難い。
【００１６】
そして、ピン挿入部２４は溶湯容器２の内側には開口しておらず、ピン４も溶湯容器２の内側には一端が突出することがないため、ピン４に溶湯が付着したりすることはない。また、取付部材３は溶湯容器２の内側には接していないため、成分が溶解する等して、溶湯を汚染することはない。
【００１７】
以上、本考案の好適な実施形態について説明したが、本考案は上記実施形態に限定されるものではない。例えば、注ぎ口２２と被埋設部２３とは隣接する位置関係ではなく、対面する側面に形成することもできる。また、取付部材３の係合部３１を埋設部３２から平面上に延設するのではなく、ピン固定部３３と平面上に延設する取付部材３とすることもできる。その他に、ピン挿入部２４は、溶湯容器２の側壁内側には開通しておらず、被埋設部２３には連通することができる。その際、ピン挿入部２４に挿入されるピン４は、被埋設部２３まで挿入される長さのものを使用しても良い。更に、被埋設部２３に挿入させる取付部材３の埋設部３２にピン挿入部２４に挿入されたピン４の端部が挿入できるように、被埋設部２３に挿入された状態でピン挿入部２４と連通する孔を形成することもできる。溶湯容器２が持ち上げられた際、埋設部３２の接着固定が荷重方向に対してピン４によって強化されることになり、より取付部材４が溶湯容器２から抜け落ちにくくなる。
【符号の説明】
【００１８】
１：ラドル、
２：溶湯容器、２０：開口、２１：本体部、２２：注ぎ口、２３：被埋設部、
２４：ピン挿入部、２９：底面、
３：取付部材、３１：係合部、３２：埋設部、３３：ピン固定部、３３１：孔、
４：ピン。
【図１】
0003151024.tif 000003
【図２】
0003151024.tif 000004